(57)【要約】【課題】ユーザーが普段から使い慣れた携帯型端末を、パーソナルコンピュータ等の入力装置とすることを容易に実現するための入力補助装置を提供する。【解決手段】入力補助装置１は、操作端末と接続される入力側インタフェース１３と、情報処理装置が接続される出力側インタフェース１４と、操作データ処理部１５とを備えており、操作データ処理部１５は、入力側インタフェース１３から入力された操作データをもとに、HID（Human Interface Device）の仕様に基づいたレポートディスクリプタを生成し、出力側インタフェース１４から出力する。【選択図】図２
2019003362.tif 000002
【特許請求の範囲】
【請求項１】
操作端末が接続される入力側インタフェースと、情報処理装置が接続される出力側インタフェースと、操作データ処理部とを備える入力補助装置であって、前記操作データ処理部は、入力側インタフェースから入力された操作データをもとに、HID（Human Interface Device）の仕様に基づいたレポートディスクリプタを生成し、出力側インタフェースから出力することを特徴とする入力補助装置。
【請求項２】
前記操作データ処理部は、入力側マイクロコントローラと出力側マイクロコントローラとからなり、出力側マイクロコントローラは、前記入力側インタフェースから入力された操作データをもとに、HID（Human Interface Device）の仕様に基づいたレポートディスクリプタを生成し、出力側インタフェースから出力することを特徴とする請求項１に記載の入力補助装置。
【請求項３】
前記入力側インタフェースは、無線通信部を備えていることを特徴とする、請求項１または２に記載の入力補助装置。
【発明の詳細な説明】
【技術分野】
【０００１】
本発明は、パーソナルコンピュータ等の情報処理装置の入力補助装置に関するものである。
【背景技術】
【０００２】
近年、スマートフォンが世の中に浸透しており、生まれた時からスマートフォンが身近に存在する、『スマホネイティブ』と呼ばれる若年層が増えてきている。一方、オフィスや学校等では依然、デスクトップ型やノート型のパーソナルコンピュータが多く使用されており、キーボードやマウスで入力操作が一般的である。スマホネイティブ世代は、キーボードやマウスよりもスマートフォンでの入力操作に長けていることがあり、文字入力操作は、いわゆる「フリック入力」という、タッチスクリーンに表示された特定の文字領域を指でスライド操作することで、効率的に文字入力を行うことができる。しかし、オフィスや学校等では、慣れ親しんだスマートフォンよりもキーボードやマウスでの入力操作が強要され、その操作に慣れていないうちは、書類作成などの作業に多くの時間がかかってしまう。
【０００３】
また、タブレット型の端末を所有しているユーザーの場合、外出先で文字入力を行うために折り畳み式のキーボードを所有していることがあるが、外出時にそのキーボードを持ち歩かなければならず、不便である。
【０００４】
パーソナルコンピュータの操作を容易にするための手段が記載された下記の特許文献が存在する。下記特許文献の技術では、携帯型端末であるPDA11にHIDアプリケーションプログラム251とバーチャルドライバ253がインストールされている。HIDアプリケーションプログラム251は、PDA11で入力された操作データ（例えばジョグダイヤル操作データ）を、HID仕様の操作データ（例えばマウスホイールの操作データ）に変換する。さらにバーチャルドライバ253は、HID仕様の操作データをUSBのプロトコルに準拠した操作データに変換し、変換したデータは、USBバスインタフェース281を介してパーソナルコンピュータに送信される。
【先行技術文献】
【特許文献】
【０００５】
【特許文献１】特開２００５−１８２６３０号公報
【発明の概要】
【発明が解決しようとする課題】
【０００６】
上記特許文献の技術では、携帯型端末にHIDアプリケーションプログラムとバーチャルドライバがインストールされている必要がある。しかし、本発明の背景技術に記載したスマートフォンの一般ユーザーにとって、オペレーティングシステム（OS）の制御に干渉するデバイスドライバを扱うことは難しく、また機種によっては、正規のものでないデバイスドライバをインストールすることが許されていない場合もある。
【０００７】
本発明は、上記課題を鑑みて発明されたものであり、ユーザーが普段から使い慣れた携帯型端末をパーソナルコンピュータ等の入力装置とすることを、容易に実現するために発案された入力補助装置である。
【課題を解決するための手段】
【０００８】
本発明の入力補助装置は、操作端末が接続される入力側インタフェースと、情報処理装置が接続される出力側インタフェースと、操作データ処理部とを備える入力補助装置であって、前記操作データ処理部は、入力側インタフェースから入力された操作データをもとに、HID（Human Interface Device）の仕様に基づいたレポートディスクリプタを生成し、出力側インタフェースから出力することを特徴とする。
【０００９】
また、本発明の操作データ処理部は、入力側マイクロコントローラと出力側マイクロコントローラとからなり、出力側マイクロコントローラは、前記入力側インタフェースから入力された操作データをもとに、HID（Human Interface Device）の仕様に基づいたレポートディスクリプタを生成し、出力側インタフェースから出力することを特徴とする。
【００１０】
また、本発明の入力側インタフェースは、無線通信部を備えていることを特徴とする。
【発明の効果】
【００１１】
本発明によれば、ユーザーが普段から使い慣れた携帯型端末をパーソナルコンピュータ等の入力装置とすることを容易に実現することができる。
【図面の簡単な説明】
【００１２】
【図１】本発明の第１実施例における、入力補助装置と操作端末と情報処理装置の接続形態を表す図。
【図２】本発明の第１実施例における、入力補助装置１の詳細構成を表すブロック図。
【図３】本発明の第１実施例における、操作端末２の詳細構成を表すブロック図。
【図４】本発明における、情報処理装置３の詳細構成を表すブロック図。
【図５】本発明における、入力補助装置、携帯端末、情報処理装置との間の通信処理を表すシーケンス図。
【図６】本発明における、入力補助アプリケーションプログラムの第１の画面表示例。
【図７】本発明における、入力補助アプリケーションプログラムの第２の画面表示例。
【図８】本発明の第２実施例における、入力補助装置と操作端末と情報処理装置の接続形態を表す図。
【図９】本発明の第２実施例における、入力補助装置１の詳細構成を表すブロック図。
【図１０】本発明の第２実施例における、操作端末２の詳細構成を表すブロック図。
【図１１】本発明の第３実施例における、入力補助装置１の詳細構成を表すブロック図。
【発明を実施するための形態】
【００１３】
まず、本発明の第１の実施例を説明する。
【００１４】
図１は、本発明の第１の実施例における、入力補助装置１と操作端末２と情報処理装置３とを接続した様子を表した図である。操作端末２は例えばスマートフォンであり、タッチディスプレイ２２を備えている。情報処理装置３は例えばデスクトップ型のパーソナルコンピュータである。入力補助装置１は、シリアル通信で操作端末２および情報処理装置３と通信し、電気信号を１ビット単位で逐次的に送受信する。シリアル通信の方式としては、USB（Universal Serial Bus）、RS−２３２C、UART（Universal Asynchronous Receiver/Transmitter）、イーサネット（登録商標）などが適用可能である。本実施例ではUSBの通信方式を例に挙げて説明するため、入力補助装置１は、USBケーブル４により操作端末２および情報処理装置３と接続されているものとする。
【００１５】
図２は、図１の入力補助装置１の詳細構成を表すブロック図である。入力補助装置１は、その内部に入力側マイクロコントローラ１１、出力側マイクロコントローラ１２、入力側USBコネクタ１３（メス型）、出力側USBコネクタ１４（メス型）を備えている。入力側マイクロコントローラ１１と入力側USBコネクタ１３、出力側マイクロコントローラ１２と出力側USBコネクタ１５はそれぞれ、D＋/D−の２つの信号線を用いて、パケット化されたデジタルデータを送受信する。図２においては、上記２つの信号線を簡略化して一本の破線で表している。入力側USBコネクタ１３と出力側USBコネクタ１４には、それぞれオス型のコネクタを備えたUSBケーブル４が挿入される。
【００１６】
図２の入力側マイクロコントローラ１１と出力側マイクロコントローラ１２は、アイ・スクエアド・シー（Ｉ２C：Inter-Integrated Circuit）の方式でシリアルデータを送受信する機能を備えたマイクロコントローラである。Ｉ２Cの通信では、マスタ側のデバイスが送信するクロック（SCL信号）でデータ送受のタイミングをとり、スレーブ側のデバイスとデータ信号（SDA信号）を送受信する。本実施例では、入力側マイクロコントローラ１１がマスタ側のデバイス、出力側マイクロコントローラ１２がスレーブ側のデバイスとする。図２において、SCL信号とSDA信号が流れる２つの信号線を簡略化して一本の実線で表している。本実施例では、入力側マイクロコントローラ１１と出力側マイクロコントローラ１２をまとめて操作データ処理部１５とする。操作データ処理部１５は、シリアルデータを送受信する機能を備えていれば良く、Ｉ２Cの方式に換えてSPI（Serial Peripheral Interface）や、1-Wire（登録商標）、UART等であっても良い。
【００１７】
図３は、図１の操作端末２の詳細構成を表すブロック図である。操作端末２は、CPU２１、ROM２２、RAM２３、不揮発性メモリからなる記憶部２４、USBコントローラ２５、USBコネクタ２６を備えており、それぞれは実線で示す内部バスにより相互に接続されている。ROM２２には、例えばAndroid（登録商標）のオペレーティングシステム（OS）のプログラムが記録されている。また記憶部２４には、入力補助アプリケーションプログラムが記憶されており、ユーザーの操作に応じて、CPU２１はその入力補助アプリケーションプログラムをRAM２３にロードして実行する。USBコントローラ２５は、例えばIC（Integrated Circuit）で構成され、入力補助アプリケーションプログラムで生成された操作データを受け取り、USBの規格に準じた形式のパケットフォーマット（以下、USBパケットと称する）に加工して、USBコネクタ２６から出力する。
【００１８】
図４は、図１の情報処理装置３の詳細構成を表すブロック図である。情報処理装置３は、例えばパーソナルコンピュータであり、CPU３１、ROM３２、RAM３３、ハードディスクや不揮発性メモリからなる記憶部３４を備え、実線で示す内部バスにより各々が相互に接続されている。内部バスには、入出力インタフェース３５も接続されている。入出力インタフェース３５には、例えばディスプレイ３６やスピーカ３７といった外部出力装置が接続されている。さらに、入出力インタフェース３５には、USBコントローラ３８とUSBコネクタ３９を介してキーボードやマウスなどの外部入力装置を接続することができる。USBコネクタ３９は複数設けられていても良い。また、USBコントローラ３８とUSBコネクタ３９は一例であり、他のシリアル通信（RS−２３２C、UART、イーサネット（登録商標）など）に対応したインタフェースに換えても良い。CPU３１は、ROM３２に記憶されているプログラム、または、記憶部３４からRAM３３にロードされたプログラムに従って、各種の処理を実行する。
【００１９】
次に、図５のシーケンス図を参照して、入力補助装置１、操作端末２、情報処理装置３との間の通信について説明する。
【００２０】
入力補助装置１と情報処理装置３がUSBケーブル４で接続されると、情報処理装置３のUSBコネクタ３９の信号線（D＋またはD−）の電位がハイレベルになり、情報処理装置３はUSB通信の通信準備（コンフィギュレーション）を開始する。同様に、入力補助装置１と操作端末２がUSBケーブル４で接続されると、操作端末２のUSBコネクタ２６の信号線、D＋またはD−の電位がハイレベルになり、操作端末２は通信準備（コンフィギュレーション）を開始する。図５のシーケンス図では、情報処理装置３が操作端末２よりも先に通信準備を開始しているが、実際はUSBケーブル４が接続された順に接続を開始する。
【００２１】
続いて、操作端末２と情報処理装置３は、入力補助装置１に対してデバイスディスクリプタを転送するように要求する。デバイスディスクリプタにはUSB仕様のバージョン情報やデータ転送における最大パケット長、機器のIDなど、USB通信を確立するための基本的な情報が含まれており、入力側マイクロコントローラ１１および出力側マイクロコントローラ１２の図示しない不揮発性メモリなどに予め記録されている。
【００２２】
情報処理装置３からのデバイスディスクリプタの転送要求は、入力補助装置１の出力側マイクロコントローラ１２で受信される。続いて、出力側マイクロコントローラ１２は情報処理装置３に対して、自己のデバイスディスクリプタと共に、HIDディスクリプタを送信する。HIDディスクリプタとは、そのデバイスがHID（Human Interface Device）クラスの装置であることを示す情報である。HIDディスクリプタを受信した情報処理装置３は、入力補助装置１をHIDクラスの装置であると認識する。すなわち、情報処理装置３は入力補助装置１を、キーボードやマウスなどの入力装置として認識することになる。
【００２３】
一方、入力補助装置１の出力側マイクロコントローラ１２は、操作端末２の方にはデバイスディスクリプタのみを送信し、HIDディスクリプタは送信しない。これは、操作端末２は入力補助装置１に対して、入力操作のデータを転送するのみであり、入力補助装置１がキーボードやマウスなどの装置であるかどうかを認識する必要が無いためである。
【００２４】
デバイスディスクリプタとHIDディスクリプタを受信した情報処理装置３は、コンフィギュレーション完了通知を入力補助装置１に返信する。一方、デバイスディスクリプタを受信した操作端末２も、コンフィギュレーション完了通知を入力補助装置１に返信する。これにより、入力補助装置１と操作端末２と情報処理装置３との通信準備が整ったことになる。
【００２５】
携帯端末２のユーザーが入力補助アプリケーションプログラムを介して情報処理装置３の入力操作を行う際には、携帯端末２のユーザーは、タッチディスプレイ２２を操作して、入力補助アプリケーションプログラムを起動させる。入力補助アプリケーションプログラムの起動時に、上記の通信準備が完了していない場合は、入力補助アプリケーションプログラムは強制的に終了する。
【００２６】
図６および図７は、入力補助アプリケーションプログラムの実行時にタッチディスプレイ２２に表示されるGUI（Graphical User Interface）の例である。
【００２７】
図６に示すとおり、本実施例においては、日本語入力に対応したキーボードの配列（109型配列）に従って、画面の上側に「Shift」キーや「Enter」キーなどのオプションキー群５１と、画面の下側に日本語の五十音を入力するためのメインキー群５２を表示する。図６の例では、メインキー群５２は、OSに標準搭載される日本語文字入力のIME（Input Method Editor）を呼び出して表示しているが、アルファベットを直接入力するためのフルキーボードのGUIを表示しても良い。
【００２８】
また図７のように、画面の下側に、マウス操作に対応したマウス操作画面７０を表示させても良い。その場合、アプリケーションプログラムは、左クリックアイコン７１がタップされたことを検出すると、マウスの左クリックがなされたと判断し、右クリックアイコン７２がタップされたことを検出すると、マウスの右クリックがなされたと判断する。さらに、中央上部のホイールアイコン７３が上下にスライド操作されると、マウスのホイールが上下に操作されたと判断され、マウスポインタ領域７４をタッチした状態でスライド操作がされると、その軌跡に対応してマウスポインタのX座標、Y座標が更新されたと判断する。
【００２９】
なお、図６および図７のオプションキー群５１の領域には、入力モード切換えキー６３を表示している。入力モード切換えキー６３をタッチ操作すると、メインキー群５２とマウス操作画面の表示が相互に切り換わる。
【００３０】
次に、図５に戻って、通信準備が整った後の入力補助装置１、操作端末２、情報処理装置３の間の通信について説明する。通信準備が整った後、携帯端末２の入力補助アプリケーションプログラムは、タッチディスプレイ２２に対するユーザーの入力操作があるまで待機する。
【００３１】
次にユーザーが、例えば図６のメインキー群５２から、フリック入力で『け』と入力した場合には、入力補助アプリケーションプログラムは操作データとして、アルファベットの『k』に対応する１６進数で表される１バイトのキーコードと、『e』に対応する１６進数で表される１バイトのキーコードを連続して生成する。それらのキーコードは、USBコントローラ２５でUSBパケットのデータパケットに挿入されて送信される。同様に、『ゃ（小文字）』を入力した場合には、『x』『y』『a』のそれぞれに対応したキーコードが連続して生成され、同様の手順にて送信される。
【００３２】
操作端末２から送信されたUSBパケットは入力側マイクロコントローラ１１に入力される。そして、入力側マイクロコントローラ１１はパケットデータをSDAの信号線を介して、そのまま出力側マイクロコントローラ１２に送る。
【００３３】
次に、出力側マイクロコントローラ１２は、そのパケットデータから、入力補助アプリケーションで生成されたキーコードを抽出し、HID機器の仕様に基づいたレポートディスクリプタを生成する。例えば、アルファベットの『k』に対応するキーコードが抽出された場合は『k』に対応するキーコードが挿入されたレポートディスクリプタを生成し、『e』に対応するキーコードが抽出された場合は『e』に対応するキーコードが挿入されたレポートディスクリプタがそれぞれ生成される。レポートディスクリプタは、出力側マイクロコントローラ１２からUSBパケットのデータパケットに挿入され、情報処理装置３に送信される。
【００３４】
情報処理装置３は、入力補助装置１から送られたUSBパケットを受信し、CPU３１においてレポートディスクリプタに含まれるキーコードを読み取ることで、HIDクラスの装置からの操作データと認識する。そして、情報処理装置３でワードプロセッサ等のアプリケーションプログラムが実行中の場合、このキーコードを利用して、文字入力処理が行われる。例えば、『k』と『e』のキーコードが送られてきたときに、情報処理装置３のオペレーティングシステムの入力モードが「ひらがな・ローマ字」の場合は、『け』の文字が表示される。また、入力モードが「半角英数・ローマ字」の場合は、『k』と『e』がそれぞれ表示される。この情報処理装置３での処理は、一般的なHIDクラスのキーボード装置を接続した場合と同様の処理である。
【００３５】
また、入力補助アプリケーションプログラムは、図６および図７のオプションキー群５１の各キーの領域がタッチ操作されている（入力操作がされている）間も、操作データとして、各キーに対応するキーコードを生成して、USBパケットのデータパケットに挿入して送信する。オプションキー群５１とメインキー群５２が同時に入力されている場合は、オプションキー群５１の各キーに対応するキーコードと、メインキー群５２の各文字に対応するキーコードが同一のUSBパケットのデータパケットに挿入されて入力補助装置１に送信される。
【００３６】
上記の同時入力のキーコードが含まれたUSBパケットが操作端末２から送られてきた場合、入力補助装置１の出力側マイクロコントローラ１２は、一つのレポートディスクリプタに複数のキーコードを挿入する。ただし、オプションキー群５１のうち修飾キー（Alt、Shift、Ctrlなど）の入力があった場合、レポートディスクリプタの所定の１バイト分の領域（「修飾キービット」）にビットフラグを立てる。すなわち、各修飾キーに対応するビット部分が「１」になり、入力されていないキーのビット部分は「０」になる。
【００３７】
一方、図７のように、入力補助アプリケーションプログラムでマウス操作画面７０を表示させている場合は、左クリックアイコン７１、右クリックアイコン７２、ホイールアイコン７３、マウスポインタ領域７４のそれぞれに対する操作に応じて、マウスのボタンやホイールが操作されたこと、及びマウスポインタのX・Y座標の変化を示す操作データを生成する。それらのデータはUSBコントローラ２４に出力されて、USBパケットのデータパケットの位置に挿入され、入力補助装置１に送信される。
【００３８】
次に、入力補助装置側１では、USBパケットからマウスの操作データを含んだレポートディスクリプタを生成する。そのレポートディスクリプタには、マウスのボタン操作、X軸の移動量、Y軸の移動量をそれぞれ示す、各１バイト長のデータが含まれている。生成されたレポートディスクリプタは、出力側マイクロコントローラ１２でUSBパケットのデータパケットに挿入されて、情報処理装置３に送信される。情報処理装置３では、送られてきたUSBパケットからマウスの操作データを抽出し、ボタン操作、マウスポインタ操作などに対応した処理を行う。
【００３９】
第１の実施例では、操作端末２からキーボード操作、マウス操作に対応する操作データを送信し、入力補助装置１の操作データ処理部１５では、その操作データをもとにHIDの仕様に基づいたレポートディスクリプタを生成して情報処理装置３に送信している。このため、操作端末２が実際はHIDクラスの装置でなくとも、情報処理装置３は、受信したレポートディスクリプタをHIDクラスの装置から送られてきたものと同様に扱うことができる。従って、ユーザーが普段から使い慣れた操作端末２に特別なデバイスドライバを導入することなしに、容易に情報処理装置３の入力装置とすることができる。
【００４０】
次に、本発明の第２の実施例を説明する。
【００４１】
図８は、本発明の第２の実施例における、入力補助装置１と操作端末２と情報処理装置３とを接続した様子を表した図である。第２の実施例では、入力補助装置１と操作端末２とが所定の無線通信規格に準じて無線通信を行う。無線通信規格の例として、Bluetooth（登録商標）、Wi-Fi（登録商標）、Bluetooth Low Energy（登録商標）、ZigBee（登録商標）などを採用することが考えられる。入力補助装置１と情報処理装置３は、第１の実施例と同じく、USBケーブル４で有線接続されている。
【００４２】
図９は、本発明の第２の実施例における、入力補助装置１の詳細構成を表すブロック図である。第１の実施例との相違点は、入力側USBコネクタ１３に換えて、所定の無線通信規格に準拠した通信機能を有する無線通信部１００を備えている点である。無線通信部１００と入力側マイクロコントローラ１１は、I２CやSPIなどの各種シリアル通信の方式で通信する。図９では、無線信号部１００と入力側マイクロコントローラ１１の通信に使用される信号線を簡略化して破線で表している。無線通信部１００は、受信した無線信号をA/D変換したのち、シリアルデータを入力側マイクロコントローラ１１に出力する。本実施例の場合、出力側USBコネクタ１４をオス型コネクタとしている。このため、情報処理装置３のメス型USBコネクタにUSBケーブル４を介さず直接接続することができる。その他の構成は、第１の実施例と同様である。
【００４３】
図１０は、図８の操作端末２の詳細構成を表すブロック図である。本発明の第１の実施例との相違点は、所定の無線通信規格に準拠した通信機能を有する無線通信部２００を備えている点である。無線通信部２００は、CPU２１で実行される入力補助アプリケーションプログラムで生成された操作データを受け取り、所定の無線通信規格に準じた形式のデータパケットに挿入したのち、そのデータパケットを無線信号に変換して入力補助装置１に送信する。
【００４４】
本発明の第２の実施例では、操作端末２と入力補助装置１を無線接続しているため、有線の場合よりも操作端末２の取り回しが容易であり、ユーザーが自由な姿勢で入力操作を行うことができる。
【００４５】
次に、本発明の第３の実施例を説明する。
【００４６】
図１１は、本発明の第３の実施例における入力補助装置１の詳細構成を表すブロック図である。第１の実施例および第２の実施例との相違点は、入力側マイクロコントローラ１１および出力側マイクロコントローラ１２の処理を、１つの入出力処理マイクロコントローラ９０で行う点である。入出力マイクロコントローラ９０は、シリアル通信を行うD＋/D−の２つの信号線を、入力側（入力側USBコネクタ１３の側）と出力側（出力側USBコネクタ１４の側）にそれぞれ備えている。図１１では、入力側と出力側のそれぞれの信号線を簡略化して破線で表している。入出力マイクロコントローラ９０は、他の実施例の操作データ処理部１５に相当する処理を行う。第３の実施例では、シリアル通信の制御回路を入力側と出力側で２つ備えるマイクロコントローラが必要となる。そのようなマイクロコントローラは比較的高価だが、入力補助装置１を小型化することができ、消費電力も抑えられるという効果がある。
【符号の説明】
【００４７】
１…入力補助装置、  ２…操作端末、  ２２…タッチディスプレイ、  ３…情報処理装置、  ４…USBケーブル、１１…入力側マイクロコントローラ、  １２…出力側マイクロコントローラ、  １３…入力側USBコネクタ、  １４…出力側USBコネクタ、  １５…操作データ処理部、  ２１,３１…CPU、  ２２,３２…ROM、  ２３,３３…RAM、  ２４,３４…記憶部、  ２５,３８…USBコントローラ、  ２６,３９…USBコネクタ、  ３５…入出力インタフェース、３６…ディスプレイ、  ３７…スピーカ、  ６１…オプションキー群、  ６２…メインキー群、  ６３…入力モード切換えキー、  ７１…左クリックアイコン、  ７２…右クリックアイコン、  ７３…ホイールアイコン、  ７４…マウスポインタ領域、  ７０…マウス操作画面、  ９０…入出力マイクロコントローラ、  １００,２００…無線通信部
【図１】
2019003362.tif 000003
【図２】
2019003362.tif 000004
【図３】
2019003362.tif 000005
【図４】
2019003362.tif 000006
【図５】
2019003362.tif 000007
【図６】
2019003362.tif 000008
【図７】
2019003362.tif 000009
【図８】
2019003362.tif 000010
【図９】
2019003362.tif 000011
【図１０】
2019003362.tif 000012
【図１１】
2019003362.tif 000013